(57)【特許請求の範囲】
【請求項１】
自機位置を表す自機位置情報を取得可能な情報処理装置であって、
警戒エリアに関するエリア情報を取得するエリア情報取得手段と、
前記自機位置情報と前記エリア情報とを用いて、前記自機位置から前記警戒エリアまでの距離を算出する算出手段と、
前記算出手段で算出された距離を基準値として設定し、前記算出手段で算出された新たな比較用の距離と前記基準値とを比較する比較手段と、
前記比較手段の比較結果に応じた出力を行う出力手段とを有し、
前記自機位置から所定の目的地までの経路案内を行う経路案内手段と、
現在時刻から所定時間経過後に予測される経路上の自機位置を予測する予測手段とをさらに備え、
前記算出手段は、前記現在時刻の自機位置を表す自機位置情報と所定時間前の警戒エリアに関するエリア情報とを用いて前記基準値とする距離を算出し、前記予測手段で予測された自機位置を表す自機位置情報と前記現在時刻の警戒エリアに関するエリア情報とを用いて前記比較用の距離を算出する情報処理装置。
【請求項２】
前記算出手段は、所定時間前の自機位置を表す自機位置情報と前記所定時間前の警戒エリアに関するエリア情報とを用いて前記基準値とする距離を算出し、現在時刻の自機位置を表す自機位置情報と前記現在時刻の警戒エリアに関するエリア情報とを用いて前記比較用の距離を算出する請求項１に記載の情報処理装置。
【請求項３】
前記比較結果における距離の変化の態様に応じて前記出力手段による出力内容を異ならせる請求項１又は２に記載の情報処理装置。
【請求項４】
自機位置を表す自機位置情報を取得可能な情報処理装置として、コンピュータを機能させるためのコンピュータプログラムであって、
コンピュータに、
警戒エリアに関するエリア情報を取得するエリア情報取得機能と、
前記自機位置情報と前記エリア情報とを用いて、前記自機位置から前記警戒エリアまでの距離を算出する算出機能と、
前記算出機能で算出された距離を基準値として設定し、前記算出機能で算出された新たな比較用の距離と前記基準値とを比較する比較機能と、
前記比較機能の比較結果に応じた出力を行う出力機能と、
前記自機位置から所定の目的地までの経路案内を行う経路案内機能と、
現在時刻から所定時間経過後に予測される経路上の自機位置を予測する予測機能とを
実現させ、
前記算出機能は、前記現在時刻の自機位置を表す自機位置情報と所定時間前の警戒エリアに関するエリア情報とを用いて前記基準値とする距離を算出し、前記予測機能で予測された自機位置を表す自機位置情報と前記現在時刻の警戒エリアに関するエリア情報とを用いて前記比較用の距離を算出する、コンピュータプログラム。
【発明の詳細な説明】
【技術分野】
【０００１】
本発明は、自機位置を表す自機位置情報を取得可能な情報処理装置およびコンピュータプログラムに関する。
【背景技術】
【０００２】
近年、大雨などの異常気象による災害防止策が注目されている。例えば、自機位置を把握可能なナビゲーション装置などにおいては、雨が降っているエリアを地図上で確認できるようにすることで、利用者は、雨のエリアを避けて移動することができる。
【０００３】
このようなことを実現する技術として、雨や晴れといった気象状態を地図上に重複して表示し、状況把握、目的地あるいは進行ルートを決定する際の判断材料とするナビゲーション装置が提案されている（例えば、特許文献１参照）。
【０００４】
また、このような状況下、日本国内では、一般財団法人  道路交通情報通信システムセンターによって、２０１５年４月２３日から『ＶＩＣＳ  ワイド（登録商標）』システムの運用が開始されている。このシステムでは、サービスの一つとして、ナビゲーション装置などで利用可能な大雨のエリアに関する情報の提供が実際に行われている（例えば、非特許文献１参照）。
【先行技術文献】
【特許文献】
【０００５】
【特許文献１】特開２０００−１９３４６９号公報
【非特許文献１】一般財団法人  道路交通情報通信システムセンター、"４．大雨のエリアを表示"、［平成２７年１２月２１日検索］、インターネット＜URL：http://www.vics.or.jp/know/wide/04.html＞
【発明の概要】
【発明が解決しようとする課題】
【０００６】
しかしながら、このような大雨などで警戒を要するエリア（警戒エリア）は、時間の経過とともに刻々と変動するため、従来のナビゲーション装置では、警戒エリアが近づく傾向にあるのか遠ざかる傾向にあるのかを把握することが困難であった。
【０００７】
本発明は、このような事情に鑑みてなされたもので、時間の経過とともに変動する警戒エリアとの位置関係を容易に把握することができる情報処理装置およびコンピュータプログラムを提供するものである。
【課題を解決するための手段】
【０００８】
本発明に係る情報処理装置は、自機位置を表す自機位置情報を取得可能な情報処理装置であって、警戒エリアに関するエリア情報を取得するエリア情報取得手段と、前記自機位置情報と前記エリア情報とを用いて、前記自機位置から前記警戒エリアまでの距離を算出する算出手段と、前記算出手段で算出された距離を基準値として設定し、前記算出手段で算出された新たな比較用の距離と前記基準値とを比較する比較手段と、前記比較手段の比較結果に応じた出力を行う出力手段とを有し、前記自機位置から所定の目的地までの経路案内を行う経路案内手段と、現在時刻から所定時間経過後に予測される経路上の自機位置を予測する予測手段とをさらに備え、前記算出手段は、前記現在時刻の自機位置を表す自機位置情報と所定時間前の警戒エリアに関するエリア情報とを用いて前記基準値とする距離を算出し、前記予測手段で予測された自機位置を表す自機位置情報と前記現在時刻の警戒エリアに関するエリア情報とを用いて前記比較用の距離を算出する構成となる。
【０００９】
このような構成により、算出手段で自機位置情報とエリア情報とを用いて算出された自機位置から警戒エリアまでの距離が比較手段で基準値として設定され、算出手段で算出された新たな比較用の距離と該基準値とが比較されることになる。そして、出力手段によって、その比較結果に応じた出力が行われる。これにより、自機位置と警戒エリアとの位置関係の変化が判別され、判別結果に応じた出力が行われることになる。例えば、比較用の距離が基準値よりも短い場合には、自機位置が警戒エリアに近づく傾向であると判別し、警戒エリアが近づく傾向にある旨を通知することができる。また例えば、比較用の距離が基準値よりも長い場合には、自機位置が警戒エリアから遠ざかる傾向であると判別し、該通知を解除することができる。そして、現在時刻から所定時間経過後に経路上のどの位置に自機位置があるかが予測手段で予測される。そして、算出手段で現在時刻の自機位置を表す自機位置情報と所定時間前の警戒エリアに関するエリア情報とを用いて基準値とする距離が算出され、予測手段で予測された自機位置を表す自機位置情報と現在時刻の警戒エリアに関するエリア情報とを用いて比較用の距離が算出される。これにより、現在時刻から所定時間経過後までの自機位置および警戒エリアの位置関係の変化の傾向を想定し、所定時間経過後において自機位置と警戒エリアとが近づく傾向にあるのか遠ざかる傾向にあるのかを予測することができる。
【００１０】
本発明に係る情報処理装置において、前記算出手段は、所定時間前の自機位置を表す自機位置情報と前記所定時間前の警戒エリアに関するエリア情報とを用いて前記基準値とする距離を算出し、現在時刻の自機位置を表す自機位置情報と前記現在時刻の警戒エリアに関するエリア情報とを用いて前記比較用の距離を算出する構成とすることができる。
【００１１】
このような構成により、算出手段で所定時間前の自機位置を表す自機位置情報と所定時間前の警戒エリアに関するエリア情報とを用いて基準値とする距離が算出され、現在時刻の自機位置を表す自機位置情報と現在時刻の警戒エリアに関するエリア情報とを用いて比較用の距離が算出される。これにより、所定時間前から現在時刻までの自機位置および警戒エリアの位置関係の変化を判別し、現在時刻において自機位置と警戒エリアとが近づく傾向にあるのか遠ざかる傾向にあるのかを把握することができる。
【００１４】
また、本発明に係る情報処理装置は、前記比較結果における距離の変化の態様に応じて前記出力手段による出力内容を異ならせる構成とすることができる。
【００１５】
このような構成により、出力手段による出力内容が比較結果における距離の変化の態様に応じて異なることになり、比較結果に応じたきめ細やかな出力を行うことができる。例えば、比較用の距離が基準値よりも小さい場合や、基準値および比較用の距離の差が所定値以下である場合に警告を行うなど、両者の差の値で異ならせてもよいし、比較用の距離が基準値の半分である場合に警告を行うなど、両者の比率で異ならせてもよい。また、例えば、比較用の距離が基準値よりも小さくなくなった場合に警告を解除するようにしてもよいし、比較用の距離が２回連続して基準値よりも長い場合に警報を解除するなど、回数で異ならせてもよい。
【００１６】
本発明に係るコンピュータプログラムは、自機位置を表す自機位置情報を取得可能な情報処理装置として、コンピュータを機能させるためのコンピュータプログラムであって、コンピュータに、警戒エリアに関するエリア情報を取得するエリア情報取得機能と、前記自機位置情報と前記エリア情報とを用いて、前記自機位置から前記警戒エリアまでの距離を算出する算出機能と、前記算出機能で算出された距離を基準値として設定し、前記算出機能で算出された新たな比較用の距離と前記基準値とを比較する比較機能と、前記比較機能の比較結果に応じた出力を行う出力機能と、前記自機位置から所定の目的地までの経路案内を行う経路案内機能と、現在時刻から所定時間経過後に予測される経路上の自機位置を予測する予測機能とを実現させ、前記算出機能は、前記現在時刻の自機位置を表す自機位置情報と所定時間前の警戒エリアに関するエリア情報とを用いて前記基準値とする距離を算出し、前記予測機能で予測された自機位置を表す自機位置情報と前記現在時刻の警戒エリアに関するエリア情報とを用いて前記比較用の距離を算出する、構成である。
【００１７】
このような構成により、前述した情報処理装置と同様、算出機能で自機位置情報とエリア情報とを用いて算出された自機位置から警戒エリアまでの距離が比較機能で基準値として設定され、算出機能で算出された新たな比較用の距離と該基準値とが比較されることになる。そして、出力機能によって、その比較結果に応じた出力が行われる。これにより、警戒エリアとの位置関係の変化が判別され、判別結果に応じた出力が行われることになる。そして、現在時刻から所定時間経過後に経路上のどの位置に自機位置があるかが予測機能により予測される。そして、算出機能により現在時刻の自機位置を表す自機位置情報と所定時間前の警戒エリアに関するエリア情報とを用いて基準値とする距離が算出され、予測機能で予測された自機位置を表す自機位置情報と現在時刻の警戒エリアに関するエリア情報とを用いて比較用の距離が算出される。これにより、現在時刻から所定時間経過後までの自機位置および警戒エリアの位置関係の変化の傾向を想定し、所定時間経過後において自機位置と警戒エリアとが近づく傾向にあるのか遠ざかる傾向にあるのかを予測することができる。
【発明の効果】
【００１８】
本発明に係る情報処理装置およびコンピュータプログラムによれば、自機位置と警戒エリアとの位置関係の変化が判別され、判別結果に応じた出力が行われるので、時間の経過とともに変動する警戒エリアとの位置関係を容易に把握することができる。
【図面の簡単な説明】
【００１９】
【図１】本発明の実施の形態に係る情報処理装置（車載装置）の構成を示すブロック図である。
【図２】図１に示す情報処理装置での処理の流れの一例（その１）を示すフローチャートである。
【図３】現在時刻の自機位置および警戒エリアの一例を説明するための図である。
【図４】所定時間前の自機位置および警戒エリアの一例を説明するための図である。
【図５】警告メッセージの一例を説明するための図である。
【図６】図１に示す情報処理装置での処理の流れの一例（その２）を示すフローチャートである。
【図７】経路案内中における現在時刻の自機位置および警戒エリアの一例を説明するための図である。
【図８】経路案内中における所定時間前の自機位置および警戒エリアの一例を説明するための図である。
【図９】経路案内中における警告メッセージの一例を説明するための図である。
【発明を実施するための形態】
【００２０】
以下、本発明の実施の形態について図面に基づいて説明する。
【００２１】
本発明の実施の一形態に係る情報処理装置は図１に示すように構成される。この情報処理装置は、目的地までの経路案内等の車両運転支援を行うナビゲーションユニットを有する車載装置である。
【００２２】
図１において、車載装置１００（情報処理装置）は、コンピュータユニット（例えば、ＣＰＵを含む）によって構成される処理ユニット１１を有している。処理ユニット１１には、各種の音源及び映像源（例えば、ＣＤ、ＤＶＤ等）の再生処理が可能なＡＶユニット１７、及び車両の目的地までの経路案内等のナビゲーション処理を行うナビゲーションユニット１８（ナビゲーション装置）が接続されている。また、処理ユニット１１には、スピーカ１６と接続される出力回路１５が接続されており、処理ユニット１１の制御のもと、ＡＶユニット１７及びナビゲーションユニット１８の処理に基づいた音声信号が出力回路１５を介してスピーカ１６に提供され、スピーカ１６から前記音声信号に基づいた音声が発せられる。更に、処理ユニット１１には、ＡＶユニット１７及びナビゲーションユニット１８にて利用される楽曲情報や地図情報等の各種情報が格納される記憶部１４（例えば、ハードディスクドライブ）と、ＬＣＤ等によって構成される表示部１３と、表示部１３上のタッチパネルを含み、処理に対する指示や各種情報を入力するために用いられる操作部１２とが接続されている。表示部１３には、処理ユニット１１の制御のもと、ＡＶユニット１７からの映像、ナビゲーションユニット１８での処理に基づいた地図や案内経路等の画像および後述する通知設定等による各種情報が表示される。
【００２３】
また、車載装置１００は、処理ユニット１１の制御のもと、外部からＦＭ多重放送などを利用して送信される道路交通情報を受信可能な受信部１９を有している。具体的には、この道路交通情報は、『ＶＩＣＳ  ワイド（登録商標）』システムによる提供情報であり、所定時間毎（具体的には１２時５分、１２時１０分、・・・などのように５分毎）に更新されて送信される。この道路交通情報には、大雨（例えば、運転者の前方視認性が低下する降雨強度とされる「５０ｍｍ／時間」以上の雨）が降っている地域を表す警戒エリアに関する情報（以下、エリア情報と称する）が含まれている。処理ユニット１１は、タイマなどの計時手段（図示略）により時刻情報を管理しており、受信部１９が受信した道路交通情報からエリア情報を所定時間間隔で抽出可能に構成されている。なお、このエリア情報については、後で図面を参照して詳しく説明する。
【００２４】
このような構成において、車両の発進時に操作されるスイッチ、例えば、アクセサリスイッチ（ＡＣＣ）がオンされた後、車載装置１００において、ユーザ操作などにより警戒エリアに関する通知設定がなされると、処理ユニット１１は、図２に示す手順（その１）に従って処理を実行する。
【００２５】
まず、処理ユニット１１は、通知設定解除の有無を判定し（Ｓ１１）、解除されていない（設定維持状態である）と判定された場合（Ｓ１１でＹＥＳ）には、さらに、エリア情報の受信タイミングであるか否かを判定する（Ｓ１２）。例えば、この受信タイミングは、送信されてくるエリア情報の更新周期と同じ時間間隔のタイミング、具体的には所定時刻（例えばＡＣＣをオンした時刻）から５分毎のタイミングに設定される。
【００２６】
処理ユニット１１は、受信タイミングでないと判定された場合（Ｓ１２でＮＯ）には、処理をＳ１１に戻す。一方、受信タイミングであると判定された場合（Ｓ１２でＹＥＳ）には、処理ユニット１１は、ＧＰＳ（Global Positioning System）等の測位機能を有するナビゲーションユニット１８を介して現在時刻における車載装置１００の位置（自機位置）を表す位置情報（以下、自機位置情報と称する）を取得する（Ｓ１３）とともに、受信部１９を介してエリア情報を取得する（Ｓ１４：エリア情報取得手段）。
【００２７】
ここで、図３を参照して、各情報について説明する。自機位置情報は、表示部１３（図１）に表示される地図２０上の自機位置２１の表示に利用されるものである。エリア情報は、地図２０上に、２５０メートル四方などのメッシュ単位で重畳させる警戒エリア２２の表示に利用されるものである。これにより、使用者は、雨が強い範囲を直感的に把握することができる。例えば、自機位置情報は、特定位置を示す緯度および経度を含む情報で構成され、エリア情報は、メッシュ端点の緯度および経度を含む情報で構成される。
【００２８】
次に、処理ユニット１１は、取得した自機位置情報とエリア情報とを用いて、現在時刻における自機位置２１から警戒エリア２２までの最短の距離Ｘ１を算出する（Ｓ１５：算出手段）。この際、警戒エリア２２は、図３に示したように多角形（具体的には正方形）で構成されているため、距離計算を容易に行うことができる。
そして、処理ユニット１１は、記憶部１４にこの距離Ｘ１と比較するための基準値が記憶されているか否かを判定する（Ｓ１６）。この基準値は、直前の受信タイミングの際に算出されたもの、つまり前回受信した際の自機位置２１Ａおよび警戒エリア２２Ａ間の最短の距離Ｘ（図４参照）であり、２回目以降の算出の場合に存在することになる。
【００２９】
処理ユニット１１は、記憶部１４に基準値が記憶されていないと判定された場合（Ｓ１６でＹＥＳ）には、今回算出した新たな距離Ｘ１を基準値（距離Ｘ）に設定して記憶部１４に記憶し（Ｓ１７）、処理をＳ１１に戻す。一方、記憶部１４に基準値が記憶されていると判定された場合（Ｓ１６でＮＯ）には、処理ユニット１１は、今回、基準値よりも新しい情報で算出した新たな距離Ｘ１を比較用の距離として基準値（距離Ｘ）と比較し、比較用の距離が基準値よりも小さいか否かを判定する（Ｓ１８：比較手段）。
【００３０】
処理ユニット１１は、比較用の距離が基準値よりも小さいと判定された場合（Ｓ１８でＹＥＳ）には、自機位置２１に警戒エリア２２が近づいた旨の警告メッセージ２３（図５参照）を表示部１３に表示させ（Ｓ１９：出力手段）、処理をＳ１１に戻す。一方、処理ユニット１１は、比較用の距離が基準値よりも小さくないと判定された場合（Ｓ１８でＮＯ）には、処理をＳ１１に戻す。この際、警告メッセージ２３を表示していた場合には、警告メッセージ２３の表示を取りやめる。
なお、処理ユニット１１は、Ｓ１１で通知設定の解除が行われたと判定された場合（Ｓ１１でＮＯ）には、記憶部１４に記憶されている基準値を消去して（Ｓ２０）、処理を終了する。
【００３１】
上述したような車載装置１００（情報処理装置）によれば、自機位置情報とエリア情報とを用いて算出された自機位置２１Ａから警戒エリア２２Ａまでの距離Ｘが基準値として設定され、別に算出された新たな比較用の距離（距離Ｘ１）と該基準値とが比較されることになる。そして、その比較結果に応じた出力（具体的には、比較用の距離が基準値よりも短い場合に警戒エリアが近づいている旨の警告メッセージ２３を表示し、短くない場合に警告メッセージ２３の表示を解除する）が行われる。これにより、自機位置２１と警戒エリア２２との位置関係の変化が判別され、判別結果に応じた出力が行われるので、時間の経過とともに変動する警戒エリア２２と自機位置２１との位置関係を容易に把握することができる。
また、このように比較結果における距離の変化の態様に応じて出力（表示）内容を異ならせることで、比較結果に応じたきめ細やかな出力（表示）を行うことができる。
【００３２】
さらに、所定時間前の自機位置２１Ａを表す自機位置情報と所定時間前の警戒エリア２２Ａに関するエリア情報とを用いて基準値とする距離Ｘが算出され、現在時刻の自機位置２１を表す自機位置情報と現在時刻の警戒エリア２２に関するエリア情報とを用いて比較用の距離（距離Ｘ１）が算出される。これにより、所定時間前から現在時刻までの自機位置２１および警戒エリア２２の位置関係の変化を判別し、現在時刻において自機位置２１と警戒エリア２２とが近づく傾向にあるのか遠ざかる傾向にあるのかを把握することができる。
【００３３】
以上説明した車載装置１００による処理の手順（その１）は、現在時刻における通知に関するものであったが、以下に説明する図６に示す車載装置１００による処理の手順（その２）は、現在時刻から所定時間を経過した後を予測して通知を行うものである。なお、以下の説明では、主に処理の手順（その１）と相違する部分について説明する。
【００３４】
まず、処理ユニット１１は、通知設定解除の有無を判定し（Ｓ２１）、解除されていないと判定された場合（Ｓ２１でＹＥＳ）には、さらに、エリア情報の受信タイミングであるか否かを判定する（Ｓ２２）。処理ユニット１１は、受信タイミングでないと判定された場合（Ｓ２２でＮＯ）には、処理をＳ２１に戻す。一方、受信タイミングであると判定された場合（Ｓ２２でＹＥＳ）には、処理ユニット１１は、自機位置情報を取得する（Ｓ２３）するとともにエリア情報を取得する（Ｓ２４：エリア情報取得手段）。
【００３５】
また、処理ユニット１１は、ナビゲーションユニット１８（経路案内手段）によって所定の目的地までの経路案内が行われている場合に、図７に示すように、現在時刻から所定時間経過後の経路２４上の自機位置２１Ｂを予測する（Ｓ２５：予測手段）。例えば、この予測は、経路２４を設定するための経路情報と車速センサー（図示略）等の予測情報とを用いて行う。
【００３６】
次に、処理ユニット１１は、予測した自機位置２１Ｂの自機位置情報と取得したエリア情報とを用いて、所定時間経過後における自機位置２１Ｂから現在時刻における警戒エリア２２までの最短の距離Ｙ１を算出する（Ｓ２６：算出手段）。そして、処理ユニット１１は、記憶部１４に前回の受信タイミングで取得したエリア情報が記憶されているか否かを判定する（Ｓ２７）。
【００３７】
処理ユニット１１は、記憶部１４に前回のエリア情報が記憶されていないと判定された場合（Ｓ２７でＹＥＳ）には、今回新たに取得したエリア情報を記憶部１４に記憶し（Ｓ２８）、処理をＳ２１に戻す。一方、記憶部１４に前回のエリア情報が記憶されていると判定された場合（Ｓ２７でＮＯ）には、現在時刻における自機位置２１から前回の警戒エリア２２Ａまでの最短の距離Ｙ（図８参照）を算出し、算出した距離Ｙを基準値として設定する（Ｓ２９；算出手段）。
次に、処理ユニット１１は、Ｓ２６において基準値よりも新しい情報で算出した新たな比較用の距離（距離Ｙ１）と基準値（距離Ｙ）とを比較し、比較用の距離が基準値よりも小さいか否かを判定する（Ｓ３０：比較手段）。
【００３８】
処理ユニット１１は、比較用の距離が基準値よりも小さいと判定された場合（Ｓ３０でＹＥＳ）には、所定時間経過後の自機位置２１Ｂに警戒エリア２２が近づくと想定される旨の警告メッセージ２３Ａ（図９参照）を表示部１３に表示させ（Ｓ３１：出力手段）、処理をＳ２１に戻す。これにより、利用者は、経路案内中の経路の通りに移動すると警戒エリア２２が近づくことを把握することができる。
一方、処理ユニット１１は、比較用の距離が基準値よりも小さくないと判定された場合（Ｓ３０でＮＯ）には、処理をＳ２１に戻す。この際、警告メッセージ２３Ａを表示していた場合には、警告メッセージ２３Ａの表示を取りやめる。
なお、処理ユニット１１は、Ｓ２１で通知設定の解除が行われたと判定された場合（Ｓ２１でＮＯ）には、記憶部１４に記憶されているエリア情報を消去して（Ｓ３２）、処理を終了する。
【００３９】
上述したような処理の手順（その２）を行う車載装置１００（情報処理装置）によれば、処理の手順（その１）を行う場合に加えて、さらに、現在時刻から所定時間経過後の経路２４上の自機位置２１Ｂを予測することができる。そして、現在時刻の自機位置２１を表す自機位置情報と所定時間前の警戒エリア２２Ａに関するエリア情報とを用いて基準値とする距離Ｙが算出され、予測された自機位置２１Ｂを表す自機位置情報と現在時刻の警戒エリア２２に関するエリア情報とを用いて比較用の距離（距離Ｙ１）が算出される。これにより、現在時刻から所定時間経過後までの自機位置２１および警戒エリア２２の位置関係の変化の傾向を想定し、所定時間経過後において自機位置２１と警戒エリア２２とが近づく傾向にあるのか遠ざかる傾向にあるのかを予測することができる。
【００４０】
本発明は、上述した実施の形態で説明したものに限らず、種々の変形が可能である。
例えば、前記実施の形態では、情報処理装置としてナビゲーションユニット１８を有する車載装置１００について例示したが、これに限らず、自機位置２１と警戒エリア２２との位置関係の変化の傾向を通知するものであれば、単なる警報装置などであってもよい。
また、処理ユニット１１とナビゲーションユニット１８とが一体的な構成であってもよい。
さらに、処理ユニット１１が各手順を行うための各機能（エリア情報取得手段、算出手段等）は、記憶部１４等に記憶したコンピュータプログラムにより実行させてもよい。具体的には、スマートフォン用のナビゲーションプログラムなどに適用することができる。
【００４１】
また、処理ユニット１１は、比較用の距離が基準値よりも小さいと判定された場合に表示部１３に警告メッセージ２３，２３Ａを表示させ、小さくないと判定された場合に警告メッセージ２３，２３Ａの表示を解除させる構成としたが、これに限ったものではない。例えば、基準値および比較用の距離の差が所定値以下である場合に警告を行ってもよいし、比較用の距離が基準値の半分である場合に警告を行うなど、両者の比率で警告を行うか否かを決定してもよい。位置関係の変化から自機位置２１が警戒エリア２２に入る時間を算出して予測し通知してもよい。さらに、比較用の距離が２回連続して基準値よりも長い場合に警報を解除するなど、回数で異ならせてもよい。また、出力手段は、警告メッセージ２３，２３Ａの表示に限らず、音声やメール送信など利用者に通知できるものであれば他の出力手段であってもよい。
【００４２】
さらに、上述した実施の形態では、大雨の発生地域を警戒エリア２２とするものについて説明したが、これに限らず、強風、竜巻、台風、地震、津波、火事、火山等の種々の事象の発生地域や発生可能性地域を警戒エリアとしてもよい。
【００４３】
また、上述した実施の形態では、精度向上の為、比較用の距離を算定する情報の直前の情報（前回受信した情報）を基準値の算定に用いたが、前々回など直前以外の情報を用いてもよい。
さらに、各距離を算出する際に最短の距離を算出して比較を行ったが、これに限らず、例えば、所定の距離よりも短い距離が幾つ算出されるかなどで比較してもよい。
また、処理の手順（その２）では、所定時間経過後の自機位置２１Ｂについて警戒エリア２２との位置関係を予測したが、これに限らず、例えば、経路２４の全体が対象となるように受信タイミングにおける経路２４上の自機位置２１をすべて予測して警戒エリア２２との位置関係を予測してもよい。
【産業上の利用可能性】
【００４４】
以上のように、本発明に係る情報処理装置およびコンピュータプログラムは、時間の経過とともに変動する警戒エリアとの位置関係を容易に把握することができるという効果を有し、自機位置を表す自機位置情報を取得可能な情報処理装置およびコンピュータプログラムとして有用である。
【符号の説明】
【００４５】
１１  処理ユニット
１２  操作部
１３  表示部
１４  記憶部
１５  出力回路
１６  スピーカ
１７  ＡＶユニット
１８  ナビゲーションユニット
１９  受信部
１００  車載装置（情報処理装置）
【図１】
0006607569.tif 000002
【図２】
0006607569.tif 000003
【図３】
0006607569.tif 000004
【図４】
0006607569.tif 000005
【図５】
0006607569.tif 000006
【図６】
0006607569.tif 000007
【図７】
0006607569.tif 000008
【図８】
0006607569.tif 000009
【図９】
0006607569.tif 000010